(57)【要約】【課題】複数のチューブポンプを備えながらも幅方向の寸法が狭い飲料ディスペンサを構成可能なポンプ機構を提供する。【解決手段】第一チューブポンプ１０及び第二チューブポンプ２０は、モータＭより手前側においてモータＭの左右に、平面視において第一ロータ１２の第一回転軸１３及び第二ロータ２２の第二回転軸２３が出力軸Ｓに対して垂直となるように配置され、出力軸Ｓから出力される動力を第一ロータ１２に伝動する第一伝動機構３０は、出力軸Ｓの第一方向への回転を第一ロータ１２に伝動するが第二方向への回転を第一ロータ１２に伝動しない第一クラッチ機構を備え、出力軸Ｓから出力される動力を第二ロータ２２に伝動する第二伝動機構４０は、出力軸Ｓの第二方向への回転を第二ロータ２２に伝動するが第一方向への回転を第二ロータ２２に伝動しない第二クラッチ機構を備えている。【選択図】図２
2018071495.tif 000002
【特許請求の範囲】
【請求項１】
飲料ディスペンサに備えられ、飲料が封入された袋状の容器から飲料を注出するポンプ機構であって、
飲料が封入された袋状の第一容器に接続された第一チューブの途中に設置される第一チューブポンプと、飲料が封入された袋状の第二容器に接続された第二チューブの途中に設置される第二チューブポンプと、前記第一チューブポンプ及び第二チューブポンプを駆動する一台のモータと、を備え、
前記モータは、出力軸が該ポンプ機構の奥側から手前側に延びるように配置され、
前記第一チューブポンプ及び前記第二チューブポンプは、前記モータより前記手前側において前記モータの左右に、平面視において前記第一チューブポンプが備える第一ロータの第一回転軸及び前記第二チューブポンプが備える第二ロータの第二回転軸が前記モータの出力軸に対して垂直となるように配置され、
前記出力軸から出力される動力を前記第一ロータに伝動する第一伝動機構と、
前記出力軸から出力される動力を前記第二ロータに伝動する第二伝動機構と、を備え、
前記第一伝動機構は、前記出力軸の第一方向への回転を前記第一ロータに伝動するが、前記出力軸の第二方向への回転を前記第一ロータに伝動しない第一クラッチ機構を備え、
前記第二伝動機構は、前記出力軸の前記第二方向への回転を前記第二ロータに伝動するが、前記出力軸の前記第一方向への回転を前記第二ロータに伝動しない第二クラッチ機構を備えているポンプ機構。
【請求項２】
前記第一伝動機構は、前記出力軸と平行かつ前記第一回転軸と交差する又は食い違う第一伝動軸に備えられるとともに前記出力軸に備えられた出力歯車からの動力が伝動される第一入力歯車と、前記第一入力歯車とともに回転可能に配置されるとともに前記第一回転軸に相対回転不能に備えられた第一被伝動歯車と噛み合う第一伝動歯車と、を備え、
前記第二伝動機構は、前記出力軸と平行かつ前記第二回転軸と交差する又は食い違う第二伝動軸に備えられるとともに前記出力歯車からの動力が伝動される第二入力歯車と、前記第二入力歯車とともに回転可能に配置されるとともに前記第二回転軸に相対回転不能に備えられた第二被伝動歯車と噛み合う第二伝動歯車と、を備え、
前記第一入力歯車は、前記第一クラッチ機構を介して前記第一伝動軸に支持され、
前記第二入力歯車は、前記第二クラッチ機構を介して前記第二伝動軸に支持され、
前記第一入力歯車及び前記第二入力歯車のいずれか一方は、前記出力歯車と直接噛み合い、いずれか他方は中継歯車を介して噛み合う請求項１に記載のポンプ機構。
【請求項３】
前記第一チューブポンプは、前記第一ロータに備えられた第一ローラの軌道に沿った円弧状の内周面を有する第一チューブガイドを備え、
前記第一チューブガイドは、前記内周面に沿って移動する前記第一ローラによって前記第一チューブを扱くための拘束姿勢と、前記第一チューブを着脱するために前記第一ローラから前記手前側に離間した解放姿勢とに姿勢切替可能に構成され、
前記第二チューブポンプは、前記第二ロータに備えられた第二ローラの軌道に沿った円弧状の内周面を有する第二チューブガイドを備え、
前記第二チューブガイドは、前記内周面に沿って移動する前記第二ローラによって前記第二チューブを扱くための拘束姿勢と、前記第二チューブを着脱するために前記第二ローラから前記手前側に離間した解放姿勢とに姿勢切替可能に構成されている請求項２に記載のポンプ機構。
【請求項４】
前記第一伝動歯車及び前記第二伝動歯車はウォームであり、前記第一被伝動歯車及び前記第二被伝動歯車はウォームホイールである請求項２又は３に記載のポンプ機構。
【請求項５】
請求項１から４のいずれか一項に記載のポンプ機構が備えられた飲料ディスペンサ。
【発明の詳細な説明】
【技術分野】
【０００１】
本発明は、飲料ディスペンサに備えられ、飲料が封入された袋状の容器から飲料を注出するポンプ機構に関するものである。
【背景技術】
【０００２】
特許文献１には、飲食店などに設置される飲料ディスペンサに搭載した二個の飲料入りバッグ・イン・ボックス（以下、「ＢＩＢ」という。）に対し、一台のポンプ駆動モータによって、各ＢＩＢから飲料を個別に注出できるポンプ機構が開示されている。
【０００３】
該ポンプ機構は、ＢＩＢから下方に引き出した吐出チューブの配管途上に設置し、チューブを扱いて飲料を注出するチューブ式であって、ポンプが駆動モータに連結したローラ付きのロータと、該ロータの周上に吐出チューブを挟んで対向するチューブガイドとから構成され、左右に並ぶ二組のロータを備え、かつ各ロータと一基の正逆転式駆動モータとの間をそれぞれワンウェイクラッチを介して連結するとともに、飲料を収容した二個のＢＩＢから個々に引き出した吐出チューブを各ロータとチューブガイドとの間に挟み込み、駆動モータの正転、逆転に合わせて回転するロータを介して各ＢＩＢから個別に飲料を注出するように構成されている。
【先行技術文献】
【特許文献】
【０００４】
【特許文献１】特開平１１−３０１８６号公報
【発明の概要】
【発明が解決しようとする課題】
【０００５】
しかし、特許文献１のポンプ機構は、二台のチューブポンプのロータが、駆動モータの左右において、駆動モータの出力軸と平行な回転軸まわりに回転するように配置されているため、該ポンプ機構を備える飲料ディスペンサの幅方向の寸法が大きくなりがちであった。
【課題を解決するための手段】
【０００６】
本発明は上記のような従来技術の問題点に鑑みて、複数のチューブポンプを備えながらも幅方向の寸法が狭い飲料ディスペンサを構成可能なポンプ機構及び飲料ディスペンサを提供することを目的としている。
【０００７】
上述の目的を達成するための、本発明に係るポンプ機構の特徴構成は、飲料ディスペンサに備えられ、飲料が封入された袋状の容器から飲料を注出するポンプ機構であって、飲料が封入された袋状の第一容器に接続された第一チューブの途中に設置される第一チューブポンプと、飲料が封入された袋状の第二容器に接続された第二チューブの途中に設置される第二チューブポンプと、前記第一チューブポンプ及び第二チューブポンプを駆動する一台のモータと、を備え、前記モータは、出力軸が該ポンプ機構の奥側から手前側に延びるように配置され、前記第一チューブポンプ及び前記第二チューブポンプは、前記モータより前記手前側において前記モータの左右に、平面視において前記第一チューブポンプが備える第一ロータの第一回転軸及び前記第二チューブポンプが備える第二ロータの第二回転軸が前記モータの出力軸に対して垂直となるように配置され、前記出力軸から出力される動力を前記第一ロータに伝動する第一伝動機構と、前記出力軸から出力される動力を前記第二ロータに伝動する第二伝動機構と、を備え、前記第一伝動機構は、前記出力軸の第一方向への回転を前記第一ロータに伝動するが、前記出力軸の第二方向への回転を前記第一ロータに伝動しない第一クラッチ機構を備え、前記第二伝動機構は、前記出力軸の前記第二方向への回転を前記第二ロータに伝動するが、前記出力軸の前記第一方向への回転を前記第二ロータに伝動しない第二クラッチ機構を備えている点にある。
【０００８】
上述の構成によると、ポンプ機構は、第一ロータ及び第二ロータを、奥行き方向に沿って配置することができるため、従来のポンプ機構のような二台のチューブポンプのロータを、幅方向に沿って配置する構成に比べ、上述の構成によるポンプ機構を備える飲料ディスペンサ幅方向の寸法を小型化することができる。第一クラッチ機構は、モータの第一方向への回転は第一チューブポンプに伝動するが、モータの第二方向への回転は第一チューブポンプに伝動しない。これとは逆に第二クラッチ機構は、モータの第二方向への回転は第二チューブポンプに伝動するが、モータの第一方向への回転は第二チューブポンプに伝動しない。したがって、第一クラッチ機構及び第二クラッチ機構を備えることによって、一台のモータの回転方向を切り替えるだけで、第一チューブポンプ及び第二チューブポンプのいずれを駆動させるかを切り替えることができる。なお、第一クラッチ機構及び第二クラッチ機構は、スプラグ式のワンウェイクラッチ又はカム式のワンウェイクラッチが例示できる。
【０００９】
本発明においては、前記第一伝動機構は、前記出力軸と平行かつ前記第一回転軸と交差する又は食い違う第一伝動軸に備えられるとともに前記出力軸に備えられた出力歯車からの動力が伝動される第一入力歯車と、前記第一入力歯車とともに回転可能に配置されるとともに前記第一回転軸に相対回転不能に備えられた第一被伝動歯車と噛み合う第一伝動歯車と、を備え、前記第二伝動機構は、前記出力軸と平行かつ前記第二回転軸と交差する又は食い違う第二伝動軸に備えられるとともに前記出力歯車からの動力が伝動される第二入力歯車と、前記第二入力歯車とともに回転可能に配置されるとともに前記第二回転軸に相対回転不能に備えられた第二被伝動歯車と噛み合う第二伝動歯車と、を備え、前記第一入力歯車は、前記第一クラッチ機構を介して前記第一伝動軸に支持され、前記第二入力歯車は、前記第二クラッチ機構を介して前記第二伝動軸に支持され、前記第一入力歯車及び前記第二入力歯車のいずれか一方は、前記出力歯車と直接噛み合い、いずれか他方は中継歯車を介して噛み合うと好適である。
【００１０】
第一伝動歯車及び第二伝動歯車並びに第一被伝動歯車及び第二被伝動歯車は、交差軸に備えられた、かさ歯車であってもよいし、食い違い軸に備えられた、ねじ歯車やウォームギヤであってもよい。なお、軸が交差するとは、二つの軸が互いに交わることをいう。また、軸が食い違うとは、二つの軸が交わりもせず、平行でもないことをいう。
【００１１】
モータが第一方向へ回転したときには、第一クラッチ機構は動力を伝動するので第一チューブポンプは駆動するものの、第二クラッチ機構は動力を伝動しないので第二チューブポンプは駆動しない。逆にモータが第二方向へ回転したときには、第一クラッチ機構は動力を伝動しないので第一チューブポンプは駆動しないものの、第二クラッチ機構は動力を伝動するので第二チューブポンプは駆動する。
【００１２】
第一伝動歯車及び第二伝動歯車並びに第一被伝動歯車及び第二被伝動歯車にそれぞれ同じ構成の歯車、たとえば歯切りの方向が同じである歯車を用いることができるため製造コストの削減を図ることができる。
【００１３】
第一入力歯車及び第二入力歯車のいずれか一方は、出力歯車と直接噛み合い、いずれか他方は中継歯車を介して出力歯車と噛み合う構成であるため、該ポンプ機構を飲料ディスペンサに備えた際に、飲料ディスペンサの正面視において、第一ロータ及び第二ロータをともに同じ方向に回転させることができる。
【００１４】
本発明においては、前記第一チューブポンプは、前記第一ロータに備えられた第一ローラの軌道に沿った円弧状の内周面を有する第一チューブガイドを備え、前記第一チューブガイドは、前記内周面に沿って移動する前記第一ローラによって前記第一チューブを扱くための拘束姿勢と、前記第一チューブを着脱するために前記第一ローラから前記手前側に離間した解放姿勢とに姿勢切替可能に構成され、前記第二チューブポンプは、前記第二ロータに備えられた第二ローラの軌道に沿った円弧状の内周面を有する第二チューブガイドを備え、前記第二チューブガイドは、前記内周面に沿って移動する前記第二ローラによって前記第二チューブを扱くための拘束姿勢と、前記第二チューブを着脱するために前記第二ローラから前記手前側に離間した解放姿勢とに姿勢切替可能に構成されていると好適である。
【００１５】
第一チューブガイド及び第二チューブガイドを、該ポンプ機構の手前方向に解放姿勢とすることによって、該ポンプ機構の手前側から第一チューブ及び第二チューブを着脱して、飲料が封入された袋状の容器を容易に交換することができる。
【００１６】
本発明においては、前記第一伝動歯車及び前記第二伝動歯車はウォームであり、前記第一被伝動歯車及び前記第二被伝動歯車はウォームホイールであると好適である。
【００１７】
チューブポンプは、ローラによってチューブ内の飲料を扱く構成であるため、高トルクを必要とする。ウォーム及びウォームホイールを用いることによって、モータから高トルクの動力を伝動できる。
【００１８】
上述の目的を達成するための、本発明に係る飲料ディスペンサの特徴構成は、上述のいずれかの特徴構成を備えたポンプ機構が備えられている点にある。
【００１９】
上述の構成によって、複数のチューブポンプを備えながらも幅方向の寸法が狭い飲料ディスペンサを提供することができるようになった。
【図面の簡単な説明】
【００２０】
【図１】本発明の飲料ディスペンサの正面図である。
【図２】本発明のポンプ機構の正面図である。
【図３】本発明のポンプ機構の平面図である。
【図４】本発明のポンプ機構の斜視図である。
【図５】本発明のポンプ機構の斜視図である。
【図６】本発明のポンプ機構の斜視図である。
【図７】本発明の別実施形態に係る飲料ディスペンサの正面図である。
【発明を実施するための形態】
【００２１】
図１に示すように、飲料ディスペンサ１は、前面が開口した箱体であるディスペンサ本体２の前面に開閉自在な扉体が備えられ、当該扉体に操作ボタン３が備えられている。
【００２２】
ディスペンサ本体２の内部の上部には、茶やジュースなどの飲料の貯留部としてのバッグ・イン・ボックス（以下「容器」という）Ｂを収容する収容庫４が備えられている。容器Ｂは、飲料が封入された袋状の容器をさらに箱状の容器に収容したものである。なお、飲料に、希釈されることによって飲料となる濃縮液が含まれる。
【００２３】
ディスペンサ本体２の内部であって、収容庫４の下方となる部分には、容器Ｂに封入された飲料を注出するポンプ機構Ｐが備えられている。
【００２４】
本実施形態においては、飲料ディスペンサ１の収容庫４には、二つの容器Ｂ１，Ｂ２が収容可能であり、これら容器Ｂ１，Ｂ２に対して一台のポンプ機構Ｐが備えられている。
【００２５】
チューブＴ１，Ｔ２は、容器Ｂ１，Ｂ２と一体的に又は別体的に構成され、上端が容器Ｂ１，Ｂ２に接続され、容器Ｂ１，Ｂ２に封入された飲料の吸込口を構成する。チューブＴ１，Ｔ２の下端は容器Ｂ１，Ｂ２に封入された飲料の吐出口を構成する。なお、吐出口の横には、希釈水を供給する希釈水ノズルＷ１，Ｗ２と、炭酸水を供給する炭酸水ノズルＳ１，Ｓ２が備えられている。
【００２６】
操作ボタン３は、容器Ｂ１，Ｂ２に対応するように配置され、操作ボタン３の操作に対応してポンプ機構Ｐが駆動し、飲料がチューブＴ１，Ｔ２の下端の吐出口から、吐出口の下方のカップレストに置かれたカップに注出される。そして、必要に応じて、希釈水ノズルＷ１，Ｗ２から希釈水が供給されたり、炭酸水ノズルＳ１，Ｓ２から炭酸水が供給されたりする。
【００２７】
図２及び図３に示すように、ポンプ機構Ｐは、容器Ｂ１，Ｂ２のそれぞれに対応した第一チューブポンプ１０及び第二チューブポンプ２０と、当該第一チューブポンプ１０及び第二チューブポンプ２０を駆動する一台のモータＭと、モータＭの動力を第一チューブポンプ１０に伝動する第一伝動機構３０と、モータＭの動力を第二チューブポンプ２０に伝動する第二伝動機構４０と、を備えている。
【００２８】
第一チューブポンプ１０及び第二チューブポンプ２０は、第一チューブガイド５０及び第二チューブガイド６０の内周面に沿って移動してチューブＴ１，Ｔ２内の飲料を扱く複数のローラ１１，２１を有するとともにモータＭの動力によって回転可能なロータ１２，２２と、を備えている。
【００２９】
複数のローラ１１，２１は、ロータ１２，２２の回転軸心を中心に円周方向に等間隔となる位置に、回転自在に軸支されている。
【００３０】
第一チューブポンプ１０が備える第一ロータ１２の第一回転軸１３と、第二チューブポンプ２０が備える第二ロータ２２の第二回転軸２３と、が同一軸心上に配置されている。
【００３１】
第一回転軸１３及び第二回転軸２３は、図示しない軸受に軸支されている。第一回転軸１３及び第二回転軸２３に図示しないロータリエンコーダが備えられており、前記ロータリエンコーダによって第一回転軸１３及び第二回転軸２３の回転が計測及び制御可能となっている。
【００３２】
モータＭは、平面視において、第一チューブポンプ１０及び第二チューブポンプ２０の間に配置されている。モータＭは、出力軸Ｓが双方向に回転可能なモータであり、操作ボタン３の操作に応じて時計回り又は反時計回りのいずれかの方向に回転制御される。第一回転軸１３及び第二回転軸２３は出力軸Ｓに対して垂直となるように配置されている。
【００３３】
第一伝動機構３０は、出力軸Ｓと平行かつ第一回転軸１３と食い違う第一伝動軸３１に備えられるとともに出力軸Ｓに備えられた出力歯車Ｇと噛み合う第一入力歯車３２と、第一入力歯車３２とともに回転可能に配置されるとともに第一回転軸１３に相対回転不能に備えられた第一被伝動歯車１４と噛み合う第一伝動歯車３３と、を備えている。
【００３４】
第二伝動機構４０は、出力軸Ｓと平行かつ第二回転軸２３と食い違う第二伝動軸４１に備えられるとともに出力軸Ｓに備えられた出力歯車Ｇと、出力軸Ｓに平行な中継軸Ｌまわりに回転する中継歯車Ｒを介して噛み合う第二入力歯車４２と、第二入力歯車４２とともに回転可能に配置されるとともに第二回転軸２３に相対回転不能に備えられた第二被伝動歯車２４と噛み合う第二伝動歯車４３と、を備えている。
【００３５】
本実施形態においては、第一入力歯車３２が出力歯車Ｇと直接噛み合い、第二入力歯車４２は中継歯車Ｒを介して出力歯車Ｇと噛み合う構成であるため、飲料ディスペンサ１の正面視において第一ロータ１２及び第二ロータ２２をともに同じ方向に回転させることができる。
【００３６】
第一伝動歯車３３及び第二伝動歯車４３は、第一伝動軸３１又は第二伝動軸４１に備えられたウォームであり、第一被伝動歯車１４及び第二被伝動歯車２４はウォームホイールである。
【００３７】
なお、第一入力歯車３２は、第一クラッチ機構３４を介して第一伝動軸３１に支持されている。また、第二入力歯車４２は、第二クラッチ機構４４を介して第二伝動軸４１に支持されている。第一クラッチ機構３４及び第二クラッチ機構４４は、スプラグ式のワンウェイクラッチ又はカム式のワンウェイクラッチが好適に用いられるが、これに限らない。
【００３８】
図４に示すように、第一クラッチ機構３４は、モータＭの第一方向（時計回り）への回転は第一入力歯車３２に伝動するが、モータＭの第二方向（反時計回り）への回転は第一入力歯車３２に伝動しないように構成されている。
【００３９】
また、図５に示すように、第二クラッチ機構４４は、モータＭの第二方向（反時計回り）への回転は第二入力歯車４２に伝動するが、モータＭの第一方向（時計回り）への回転は第二入力歯車４２に伝動しないように構成されている。
【００４０】
したがって、モータＭが第一方向（時計回り）へ回転すると、第一入力歯車３２、第一伝動歯車３３及び第一被伝動歯車１４が回転し、これによって第一チューブポンプ１０が駆動し、第一チューブＴ１に吸い込まれた飲料が吐出口から吐き出される。このとき、第二チューブポンプ２０は駆動しない。
【００４１】
逆に、モータＭが第二方向（反時計回り）へ回転すると、第二入力歯車４２、第二伝動歯車４３及び第二被伝動歯車２４が回転し、これによって第二チューブポンプ２０が駆動し、第二チューブＴ２に吸い込まれた飲料が吐出口から吐き出される。このとき、第一チューブポンプ１０は駆動しない。
【００４２】
次に第一チューブガイド５０及び第二チューブガイド６０について説明する。なお、第二チューブガイド６０は、第一チューブガイド５０と同じ構成であるため、説明を省略する。図６に示すように、第一チューブガイド５０は、円弧状の内周面を有し、第一ロータ１２に備えられ内周面に沿って移動する第一ローラ１１との間で、飲料を流すための第一チューブＴ１を保持可能に構成されている。第一チューブガイド５０は下端部に備えられた、第一回転軸１３と平行な第一支軸５１まわりに回動し、第一ローラ１１との間で第一チューブＴ１を扱くための拘束姿勢と、第一ローラ１１から離間し、第一チューブＴ１を着脱するための解放姿勢とに姿勢切替可能に構成されている。
【００４３】
なお、第一チューブガイド５０は上端部に、第一チューブガイド５０の拘束姿勢を固定する固定機構５２を備えている。固定機構５２は、第一伝動機構３０や第二伝動機構４０等が収容された筐体Ｈ側に備えられた係合穴部５２ｂと、第一チューブガイド５０の上端部を貫通し、先端が係合穴部５２ｂに係合可能な係合凸部５２ａと、から構成されている。なお、係合凸部５２ａは、係合穴部５２ｂに係合される方向へ図示しないバネにより付勢されている。
【００４４】
容器Ｂ１を交換する場合には、ディスペンサ本体２の前記扉体を開けた後、係合凸部５２ａの末端を指でつまみ、先端を係合穴部５２ｂから抜いてその係合を解除することによって、第一チューブガイド５０を手前に回動させる。そして、第一チューブガイド５０とローラ１１との間から容器Ｂ１に接続されたチューブＴ１を取り出して、収容庫４から空になった容器Ｂ１を取り除く。
【００４５】
その後、収容庫４に新たな容器Ｂ１を収容し、第一チューブガイド５０と第一ローラ１１との間に容器Ｂ１に接続されたチューブＴ１を通す。そして、第一チューブガイド５０を閉じて、チューブＴ１の下端をはさみなどで切り落とすことによって、吐出口を形成する。容器Ｂ２の交換も同様ある。
【００４６】
第一チューブポンプ１０及び第二チューブポンプ２０は、ポンプ機構Ｐの正面視において手前側からチューブＴ１，Ｔ２をロータ１２，２２と第一チューブガイド５０及び第二チューブガイド６０との間に配設する構成であるため、飲料ディスペンサ１の正面から容器Ｂ１，Ｂ２を容易に交換することができる。
【００４７】
上述した実施形態においては第二伝動機構４０が備える第二入力歯車４２には中継歯車Ｒを介してモータＭの出力歯車Ｇの回転が伝動される構成について説明した。しかし、中継歯車Ｒは必須ではない。ただしこの場合は、第二伝動歯車４３であるウォームのねじ切りの方向や第二クラッチ機構４４による動力の伝動可能又は伝動不能の方向を現状と逆にする必要がある。また、中継歯車Ｒは、第二伝動機構４０側ではなく、第一伝動機構３０側に備えられていてもよい。
【００４８】
上述した実施形態においては、モータＭが第一方向（時計回り）へ回転すると、第一チューブポンプ１０が駆動するが、第二チューブポンプ２０は駆動せず、モータＭが第二方向（反時計回り）へ回転すると、第二チューブポンプ２０は駆動するが、第一チューブポンプ１０は駆動しないように構成したが、これに限らない。第一伝動歯車３３及び第二伝動歯車４３であるウォームのねじ切りの方向や、第一クラッチ機構３４及び第二クラッチ機構４４による動力の伝動可能又は伝動不能の方向を逆にすることによって、モータＭが第一方向（時計回り）へ回転すると、第二チューブポンプ２０は駆動するが、第一チューブポンプ１０は駆動せず、モータＭが第二方向（反時計回り）へ回転すると、第一チューブポンプ１０が駆動するが、第二チューブポンプ２０は駆動しないようにすることもできる。
【００４９】
上述した実施形態においては、第一伝動歯車３３及び第二伝動歯車４３は、第一伝動軸３１又は第二伝動軸４１に備えられたウォームであり、第一被伝動歯車１４及び第二被伝動歯車２４はウォームホイールである場合について説明したが、これに限らない。第一伝動歯車３３及び第二伝動歯車４３並びに第一被伝動歯車１４及び第二被伝動歯車２４は、互いに噛み合うねじ歯車であってもよい。
【００５０】
上述した実施形態においては、第一回転軸１３と第一伝動軸３１とが食い違うように配置され、同様に第二回転軸２３と第二伝動軸４１とが食い違うように配置される場合について説明したが、これに限らない。第一回転軸１３と第一伝動軸３１とは交差するように配置されていてもよいし、同様に第二回転軸２３と第二伝動軸４１とは交差するように配置されていてもよい。これらの場合は、第一伝動歯車３３及び第二伝動歯車４３並びに第一被伝動歯車１４及び第二被伝動歯車２４は、互いに噛み合うかさ歯車が好適に用いられる。
【００５１】
上述した実施形態においては、第一クラッチ機構３４及び第二クラッチ機構４４が、第一入力歯車３２と第一伝動軸３１との間や第二入力歯車４２と第二伝動軸４１との間に備えられる構成について説明したが、これに限らない。第一被伝動歯車１４が第一クラッチ機構３４を介して第一回転軸１３に支持され、第二被伝動歯車２４が第二クラッチ機構４４を介して第二回転軸２３に支持される構成であってもよい。
【００５２】
上述した実施形態においては、飲料ディスペンサ１は、チューブＴ１及びチューブＴ２からそれぞれ異なった位置に配置されたカップに飲料が吐き出される構成について説明したが、これに限らない。図１に示された飲料ディスペンサ１と異なる構成について説明すると、たとえば、図７に示すように、飲料ディスペンサ１００のチューブＴ１，Ｔ２の上端は容器Ｂ１，Ｂ２に封入された飲料の吸込口を構成する一方で、チューブＴ１，Ｔ２の下端の吐出口は、同じ位置に配置されたカップに飲料を吐き出すように構成されている。なお、両吐出口の横には、希釈水を供給する希釈水ノズルＷ３と、炭酸水を供給する炭酸水ノズルＳ３が備えられている。
【００５３】
操作ボタン３の操作に対応してポンプ機構Ｐが駆動し、飲料がチューブＴ１，Ｔ２の下端の両吐出口から、両吐出口の下方のカップレストに置かれたカップに注出される。そして、必要に応じて、希釈水ノズルＷ３から希釈水が供給されたり、炭酸水ノズルＳ３から炭酸水が供給されたりする。
【００５４】
上述した実施形態においては、飲料ディスペンサ１に一台のポンプ機構Ｐが備えられる場合について説明したが、これに限らない。飲料ディスペンサ１に複数台のポンプ機構Ｐが備えられる構成であってもよい。
【００５５】
上述した実施形態は、いずれも本発明の一例であり、当該記載により本発明が限定されるものではなく、各部の具体的構成は本発明の作用効果が奏される範囲において適宜変更設計可能である。
【符号の説明】
【００５６】
１        ：飲料ディスペンサ
１０      ：第一チューブポンプ
１０      ：チューブポンプ
１１      ：第一ローラ
１２      ：第一ロータ
１３      ：第一回転軸
１４      ：第一被伝動歯車
２０      ：第二チューブポンプ
２０      ：チューブポンプ
２１      ：第二ローラ
２２      ：第二ロータ
２３      ：第二回転軸
２４      ：第二被伝動歯車
３０      ：第一伝動機構
３１      ：第一伝動軸
３２      ：第一入力歯車
３３      ：第一伝動歯車
３４      ：第一クラッチ機構
４０      ：第二伝動機構
４１      ：第二伝動軸
４２      ：第二入力歯車
４３      ：第二伝動歯車
４４      ：第二クラッチ機構
５０      ：第一チューブガイド
６０      ：第二チューブガイド
１００    ：飲料ディスペンサ
Ｂ        ：容器
Ｂ１      ：容器
Ｂ２      ：容器
Ｇ        ：出力歯車
Ｍ        ：モータ
Ｐ        ：ポンプ機構
Ｒ        ：中継歯車
Ｓ        ：出力軸
Ｔ１      ：第一チューブ
Ｔ２      ：第二チューブ
【図１】
2018071495.tif 000003
【図２】
2018071495.tif 000004
【図３】
2018071495.tif 000005
【図４】
2018071495.tif 000006
【図５】
2018071495.tif 000007
【図６】
2018071495.tif 000008
【図７】
2018071495.tif 000009